(57)【要約】      （修正有）【課題】汎用性を有して安定して取り付けることができ、加水分解しない便座クッションを提供する。【解決手段】便座クッション１は、エチレン系ポリマーからなり中央に開口部３を有する板状の本体２と、本体２の外周から垂下する外壁部４を設けている。外壁部４が先端にかけて内方に湾曲して第１の凹所を形成し、第１の凹所が外壁部４の内周面の全周に亘り形成されている。この第１の凹所により外壁部４をポータブルトイレの座部外周に位置決め・固定して、本体２を座部に安定して取り付けることができ、座部からのずれを防止することができる。さらに加水分解を起さず、これによる劣化を防止することができる。また、第１の凹所及びエチレン系ポリマーの弾性により汎用性を有して多様な座部に取り付けることができる。【選択図】図１
0003218389.tif 000002
【実用新案登録請求の範囲】
【請求項１】
エチレン系ポリマーからなり中央に開口部を有する板状の本体と、該本体の外周から垂下する外壁部を設け、
前記外壁部が先端にかけて内方に湾曲して第１の凹所を形成し、前記第１の凹所が前記外壁部の内周面の全周に亘り形成されたことを特徴とする便座クッション。
【請求項２】
開口部の周縁から垂下する内壁部を垂下して設け、
前記内壁部が先端にかけて外方に湾曲して第２の凹所を形成し、前記第２の凹所が前記内壁部の外周面の全周に亘り形成されたことを特徴とする請求項１に記載の便座クッション。
【請求項３】
外壁部及び内壁部のうち少なくとも一方は、先端にかけて先細り状に形成されつつ、前記先端が本体の水平方向を指す方向にまで延長されたことを特徴とする請求項１または２のいずれかに記載の便座クッション。
【請求項４】
第１の凹所及び第２の凹所の少なくとも一方を円弧形状としたことを特徴とする請求項１または２のいずれかに記載の便座クッション。
【請求項５】
本体と外壁部と内壁部とは一体的に形成されたものであって、エチレン酢酸ビニル共重合体とエチレンプロピレンゴムを主体とするポリマーからなることを特徴とする請求項１、２、３または４のいずれかに記載の便座クッション。
【請求項６】
請求項１、２、３、４または５のいずれかに記載の便座クッションを着脱自在に取り付ける座部と、この座部を支持する脚部とからなり、
前方の前記脚部に前記座部及び後方の前記脚部を回動自在に設けて、折り畳み自在としたことを特徴とするポータブルトイレ。
【請求項７】
座部の下方に設けた汚物受けを後方に引き出して着脱自在としたことを特徴とする請求項６に記載のポータブルトイレ。
【考案の詳細な説明】
【技術分野】
【０００１】
この考案は、便座クッション及びこの便座クッションを着脱自在で取り付けるポータブルトイレに関する。
【背景技術】
【０００２】
介護施設等で用いられる介護椅子には、特許文献１に示す組み立て及び分解を容易に行うことができるポータブルトイレが用いられる場合がある。このような介護椅子に用いられる便座は、便座台に取り付けられた鉤状の爪に固定するものであり、汎用性がなかった。
【先行技術文献】
【特許文献】
【０００３】
【特許文献１】特開２０１８−１０２５７８号公報
【考案の概要】
【考案が解決しようとする課題】
【０００４】
従来の介護椅子等に取り付けられる便座及び便座クッションは直接固定するもので汎用性がなく、どのような介護椅子にも取り付けることができる汎用性が高い便座クッションが求められていた。
【０００５】
また、従来の便座クッションは、一般的にエステル系ポリマーからなるため、加湿空間での使用により加水分解を起して劣化して脆くなり、ひび割れを起こし、状態が悪いものでは割れてしまうものも存在した。
【０００６】
そこで、上記従来技術の課題に鑑み、本考案は、汎用性を有して安定して取り付けることができ、かつ加水分解を起さない便座クッション及びこの便座クッションを取り付けるポータブルトイレを提供することを目的とするものである。
【課題を解決するための手段】
【０００７】
上記目的を達成する、本考案の便座クッションは、エチレン系ポリマーからなり中央に開口部を有する板状の本体と、該本体の外周から垂下する外壁部を設け、前記外壁部が先端にかけて内方に湾曲して第１の凹所を形成し、前記第１の凹所が前記外壁部の内周面の全周に亘り形成されたことを特徴とするものである。
【０００８】
また、開口部の周縁から垂下する内壁部を垂下して設け、前記内壁部が先端にかけて外方に湾曲して第２の凹所を形成し、前記第２の凹所が前記内壁部の外周面の全周に亘り形成されることが好ましい。
【０００９】
また、外壁部及び内壁部のうち少なくとも一方は、先端にかけて先細り状に形成されつつ、前記先端が本体の水平方向を指す方向にまで延長されることが好ましい。
【００１０】
また、第１の凹所及び第２の凹所の少なくとも一方を円弧形状としたことが好ましい。
【００１１】
また、本体と外壁部と内壁部とは一体的に形成されたものであって、エチレン酢酸ビニル共重合体とエチレンプロピレンゴムを主体とするポリマーからなることが好ましい。
【００１２】
また、本考案のポータブルトイレは、前述のいずれかに記載の便座クッションを着脱自在に取り付ける座部と、この座部を支持する脚部と、からなり、前方の前記脚部に前記座部及び後方の前記脚部を回動自在に設けて、折り畳み自在としたことを特徴とするものである。
【００１３】
また、座部の下方に設けた汚物受けを後方に引き出して着脱自在とすることが好ましい。
【考案の効果】
【００１４】
請求項１記載の考案によれば、外壁部の内周面に形成された第１の凹所により外壁部をポータブルトイレの座部外周に位置決め・固定して、本体を座部に安定して取り付けることができ、座部からのずれを防止することができる。さらにエチレン系ポリマーの性質により加水分解を起さず、加水分解による劣化を防止することができるとともに、その適度な弾性により汎用性を有して多様な座部に取り付けることができる。
【００１５】
請求項２記載の考案により、内壁部の外周面に形成された第２の凹所により内壁部をポータブルトイレの開口部に位置決め・固定して、安定的に取り付けることができる。すなわち、第１の凹所と第２の凹所を併用して、より安定的かつ汎用的に座部への着脱を可能にしている。
【００１６】
請求項３記載の考案により、外壁部や内壁部が先端にかけて先細りした形態により、その弾性と相まって自由に曲がり、より座部に取り付けやすくすることができる。また、その先端が水平方向に至るまで延長されていることにより、安定的に保持できる。
【００１７】
請求項４記載の考案により、外壁部や内壁部の先端が先細りしつつ水平方向まで延長され、さらに凹所の円弧曲面により、取付対象が丸パイプ状のものでも安定的に保持できるのみならず、その弾性のある材質から取付対象が他の形態であっても汎用的に取り付けが可能になる。
【００１８】
請求項５記載の考案により、加水分解を起さず、加水分解による劣化を防止することができるとともに、その適度な弾性により汎用性を有して多様な座部に取り付けることができるとともに、より良好な弾力（弾性）及び強度を得ることができ、既に存在する座部のみならず、その他の座面に対して取り付けが容易かつ可能になる。
【００１９】
請求項６記載の考案により、座り心地がよく座面を容易に取り換え可能とすることができるポータブルトイレを提供できるとともに、折り畳み状態で保管することができ、保管場所の制限を緩和することができる。
【００２０】
請求項７記載の考案により、汚物受けを取り外して保管することができ、コンパクトに折り畳むことができる。さらに、汚物受けを容易に取り外して、受けた汚物を容易に廃棄することができる。
【図面の簡単な説明】
【００２１】
【図１】図１は、本考案の実施形態を示す便座クッションの斜視図である。
【図２】図２は、図１に示す便座クッションを示し、（ａ）が平面図であり、（ｂ）が底面図である。
【図３】図３は、図２に示す便座クッションを示し、（ａ）がＡ線断面図であり、（ｂ）がＢ線断面図である。
【図４】図４は、本考案の第１実施形態を示すポータブルトイレの斜視図である。
【図５】図５は、図４に示すポータブルトイレの折り畳み状態の側面図である。
【図６】図６は、図４に示す座部のＣ線断面図である。
【図７】図７は、図１に示す便座クッションの使用状態の斜視図である。
【図８】図８は、図７に示す座部及び便座クッションを示し、（ａ）が側面図であり、（ｂ）がＤ線断面図である。
【図９】図９は、本考案の第２実施形態を示すポータブルトイレの斜視図である。
【図１０】図１０は、図９に示すポータブルトイレの使用状態の斜視図である。
【考案を実施するための形態】
【００２２】
以下、本考案に係る便座クッション１及びポータブルトイレ１０の実施形態を添付の図面に基づいて説明する。
【００２３】
本実施形態の便座クッション１は、図７に示すように、ポータブルトイレ１０の座部１１に取り付けて使用するものである。便座クッション１はエチレン系ポリマーからなり、例えば、エチレン酢酸ビニル共重合体とエチレンプロピレンゴムを主体とするポリマーを射出成形して架橋発泡してなる成形品としている。主たる材料をエチレン系ポリマーとすることで、加水分解を起さず、加水分解による劣化を防止することができる。
【００２４】
また、本実施形態の便座クッション１は、前記材質を用いることにより、所定の強度を有しつつ、弾性・柔軟性があり、従来製品のエステル系ポリマーのものよりも座り心地を良好にしている。この弾性・柔軟性は座り心地だけでなく、座部１１に取り付けるための外壁部４や内壁部７を適度な力でフレキシブルに曲げることができ、座部１１への取り付けを容易にする。
【００２５】
本実施形態の便座クッション１の形態は、図１、２に示すように、板状の本体２と、本体２の中央に設けられて上下に貫通する卵形状の開口部３と、本体２の外周端の全周に亘り設けられてこの外周端から下方に延びる環状の外壁部４とからなる。
【００２６】
本体２は、左右寸法よりも前後寸法を若干長くした矩形状体であり、前方の両角のアールを後方の両角のアールよりも大きくした形態である。後述のとおり、本体２の外周縁から下方に垂下して延長した外壁部４が形成される。
【００２７】
本体２の中央部分には開口部３が形成される。開口部３は前後に長尺な楕円形の開口部分であり、前方の曲率半径が小さく、後方の曲率半径が大きく形成された卵型の形態となっている。本体２の表面から開口部３に差し掛かる部分には開口位置に向けて緩やかに下り傾斜する同じく卵形状の傾斜部２ａを有している。前述の本体２の材質とこの傾斜部２ａにより座り心地を良好にしている。また、傾斜部２ａと開口部３との間には後述する内壁部７が同じく卵型に形成される。
【００２８】
本体２の外周縁から下方に垂下して延長した外壁部４について説明する。外壁部４は、本体２の外周に沿って設けられて、図３に示すように、内側方向（本体の中心側方向）に湾曲した円弧形状としている。特に外壁部４は先端４ａにかけて先細りした形態で、その先端が水平方向（本体の内側方向）を向くようにまで湾曲して形成され、内側に湾曲する爪のように形成される。外壁部４と本体２との連続する部分は滑らかな湾曲形状となっており、弾性を有する素材から、柔軟に外壁部４が上下に曲げることができるようにしている。
【００２９】
外壁部４が先端４ａにかけて先細りしつつ水平方向を向くよう形成することにより、外壁部４のすぐ内周側は第１の凹所５が形成される。この第１の凹所５は、外壁部４の内周側で全周に亘り形成される。外壁部４が下方に垂下しつつ約３０度湾曲して内側に向いているので、第１の凹所５からすると内周側（後述の内壁部７側）に向けて開口した形態となっている。第１の凹所５はその上下寸法（直径）を本体２の上下寸法（厚さ）よりも大きく、外壁部４の外周面の上下寸法よりも小さくしている。
【００３０】
前述のとおり開口部３はその周縁全周に亘り内壁部７を備えている。内壁部７は本体２から傾斜部２ａにより傾斜した後に、垂下して設けられたものである。内壁部７はその内周面（開口部３により開口した空間側の面）の上下寸法を外壁部４の外周面の上下寸法よりも小さくしている。
【００３１】
内壁部７は垂下したのちに外側（外壁部４側）に向けて湾曲した円弧形状としている。内壁部７の先端７ａは、外壁部４の先端４ａと異なり、外側に向いている状態となる。内壁部７の下端は外壁部４の下端とほぼ同じ高さ（同一平面上）に並ぶように位置している。
【００３２】
内壁部７が先端７ａにかけて先細りしつつ外壁部４側を向くように形成することにより、内壁部７のすぐ外周側は全周に亘り環状部分である第２の凹所８が形成される。内壁部７も外壁部４と同じく下方に垂下してから約３０度湾曲して外側に向いているので、第２の凹所８からすると外周側（外壁部４側）に向けて開口した形態となっている。第２の凹所８はその上下寸法（直径）を本体２の上下寸法（厚さ）よりも大きく、内壁部７の内周面の上下寸法よりも小さくしている。
【００３３】
次に図４乃至６により便座クッション１を取り付けるポータブルトイレ１０を説明する。ポータブルトイレ１０は、図４に示すように、中央に開口１２を有する座部１１と、座部１１の後方に位置する背もたれ１８と、座部１１及び背もたれ１８を支持する４本の脚部１７とからなり、座部１１の上面を座面として使用者が着席可能な椅子形状としている。
【００３４】
具体的には、１本のパイプをＵ字に屈曲して、前方の２本の脚部１７と背もたれ１８を取り付ける取付部１９とを一体に形成して、取付部１９よりも下方に肘掛２１を回動自在に設けられている。
【００３５】
前方の脚部１７の上端に座部１１を回動自在で支持する支持部２０をそれぞれ有すると共に、この部位にそれぞれ後方の脚部１７の上端を回動自在で取り付けている。
【００３６】
ポータブルトイレ１０は、図５に示すように、後方の脚部１７、座部１１、肘掛２１を回動することで、折り畳み自在としている。これによって、ポータブルトイレ１０は、折り畳み状態で保管することができ、保管場所の制限を緩和することができる。
【００３７】
座部１１は、図４に示すように、両側の脚部１７、１７の間、両支持部２０、２０の間の所定位置に設けられている。座部１１は座面よりも下方に段部１３を有している。段部１３は座面の外周縁よりも内周に凹み、上下及び内周に平面を有する矩形の環状溝からなる。
【００３８】
座部１１は、上面を座面として中央に開口１２を有する板状部１４と、板状部１４を支持部２０に保持する口の字形状のフレーム１６と、フレーム１６の上方に板状部１４を固定する口の字形状の固定枠１５とからなる。
【００３９】
板状部１４はその板厚を第１の凹所５の上下寸法よりも小さくしている。開口１２は前後に長尺な楕円形の開口部分であり、前方の曲率半径が小さく、後方の曲率半径が大きく形成された卵型の形態となっている。
【００４０】
板状部１４はその下面に固定枠１５の上端縁を固定して、固定枠１５はその下端縁をフレーム１６の上端縁に固定している。板状部１４の開口１２はフレーム１６及び支持枠１５の内部空間よりも小さく、これら空間に連通している。
【００４１】
板状部１４はその外周縁を固定枠１５よりも外周に突出している。段部１３は、板状部１４の下面と、固定枠１５の外周面と、フレーム１６の上面とからなり、外周側に開口している。段部１３（固定枠１５）はその上下寸法を外壁部４の先端４ａの上下寸法よりも大きくしている。
【００４２】
フレーム１６はその下方に、汚物受け２２と、汚物受け２２をフレーム１６に引出自在で支持するレールとを備える。汚物受け２２は、図６に示すように、上方に開口した容器形状であり、前方を皿状とし、後方を深いバケツ状としている。汚物受け２２は開口１２に連通して配置され、開口１２からの汚物を受ける。
【００４３】
汚物受け２２は後方の外周面に引手２３を有して、図６の点線で示すように、後方に引き出すことで、座部１１から着脱自在としている。ポータブルトイレ１０は、汚物受け２２で受けた汚物を容易に廃棄することができる。また、汚物受け２２を取り外した状態で折り畳むことで、コンパクトに畳むことができる。
【００４４】
次に、便座クッション１をポータブルトイレ１０に取り付けた使用状態を説明する。便座クッション１は、図７、８に示すように、座部１１の開口１２に開口部３を連通して、本体２で座部１１を覆い取り付けることで、便座クッション１を介して着座可能としている。
【００４５】
この取り付け方法としては、座部１１の上方に便座クッション１を載置してもよいが、座部１１の外周縁を第１の凹所５に挿し込むことで安定して取り付けることができる。
【００４６】
すなわち、便座クッション１は、板状部１４の外周縁を第１の凹所５に挿し入れて、第１の凹所５に板状部１４の外周縁を当接して取り付けられる。これによって便座クッション１を座部１１に安定して位置決め・固定することができる。
【００４７】
さらに、外壁部４の先端４ａを段部１３に挿し入れて、固定枠１５の外周面に当接している。これによって、便座クッション１の上方への抜けを防止することができるとともに、先端４ａを段部１３に当接することで強固に位置決め・固定することができる。
【００４８】
また、第２の凹所８に座部１１の開口縁を挿し入れて取り付けることができる。すなわち、板状部１４の開口縁を第２の凹所８に挿し入れて、この開口縁を第２の凹所８（内壁部７の外周面）に当接して取り付ける。さらに、内壁部７の先端７ａを板状部１４の開口１２よりも外周下方に配置することで、板状部１４に抜け止める。
【００４９】
これにより、開口１２（開口部３）側からも便座クッション１を位置決め・固定することができる。さらに、開口部３を開口１２に連通して取り付けることができ、開口部３が開口１２からずれることを確実に防止することができる。
【００５０】
また、図９、１０により第２の実施形態のポータブルトイレ１０を説明する。このポータブルトイレ１０は、１本のパイプを屈曲して、２つのＵ字を繋げたループ形状として、前方の２本の脚部１７と取付部１９とを一体に形成している。取付部１９から前方の脚部１７までを一直線状に形成し、背もたれ１８を取付部１９の間に設け、後方の脚部１７を一直線状に形成している。
【００５１】
前方の脚部１７から取付部１９までを直線状とし、後方の脚部１７を直線状としたことで、ポータブルトイレ１０は汚物受け２２を取り外して折り畳むことで、凹凸の少ない板状となり、コンパクトに折り畳むことができる。
【００５２】
なお、便座クッション１をフレキシブルに伸展して使用できるため、上下寸法が薄い座部１１であれば、外壁部４の支持部２０と重なる部位を切り欠き、支持部２０との接触を回避して座部１１よりも下方を段部１３として取り付けてもよい。
【符号の説明】
【００５３】
１…便座クッション、２…本体、３…開口部、４…外壁部、４ａ…先端、５…第１の凹所、７…内壁部、７ａ…先端、８…第２の凹所、１０…ポータブルトイレ、１１…座部、１２…開口、１３…段部、１７…脚部、１８…背もたれ、２２…汚物受け。
【図１】
0003218389.tif 000003
【図２】
0003218389.tif 000004
【図３】
0003218389.tif 000005
【図４】
0003218389.tif 000006
【図５】
0003218389.tif 000007
【図６】
0003218389.tif 000008
【図７】
0003218389.tif 000009
【図８】
0003218389.tif 000010
【図９】
0003218389.tif 000011
【図１０】
0003218389.tif 000012